(57)【要約】【課題】低学年の子供が手作りでも製作でき、胴体中途の曲りを変更することにより飛行形態を種々の自在な形態に変化させて誰でも胴体を持って飛行玩具の遊戯を楽しめる飛行玩具を提供する。【解決手段】本発明に係る飛行玩具は、頭部に重錘を有した胴体と、前記胴体の中途部前後上面に平行して取付けた前翼と後翼と、よりなる飛行玩具において、前記後翼裏面に位置する前記胴体を上下方向に折曲自在に構成したことを特徴とする。【選択図】図４
2016036359.tif 000002
【特許請求の範囲】
【請求項１】
頭部に重錘を有した胴体と、前記胴体の中途部前後上面に平行して取付けた前翼と後翼と、よりなる飛行玩具において、
前記後翼裏面に位置する前記胴体を上下方向に折曲自在に構成したことを特徴とする飛行玩具。
【請求項２】
前記前翼と前記後翼とは前後翼連結体を介して一体に構成したことを特徴とする請求項１に記載の飛行玩具。
【請求項３】
前記前翼を前記胴体の中途部に取付けるに際しては、前記前翼を翼胴連結体を介して前記胴体に一体に構成したことを特徴とする請求項１又は２に記載の飛行玩具。
【請求項４】
前記胴体は中空パイプの樹脂製で可撓性を有するストローで構成すると共に中途部を折曲自在な蛇腹構造としたことを特徴とする請求項１乃至３のいずれか１項に記載の飛行玩具。
【請求項５】
飛行玩具の全体重心は、前記前後翼を合わせた幅員である全弦長の２５〜３０％の長さを前記前翼前端縁より測定した中央点としたことを特徴とする請求項１乃至４のいずれか１項に記載の飛行玩具。
【請求項６】
前記中空パイプの前記胴体中には別途用意したガイドロッドを抜き差し自在に挿貫すると共に、飛行玩具の投擲時にはガイドロッド基部を把持して投擲することにより前記ガイドロッドにランチャー機能を付加したことを特徴とする請求項４に記載の飛行玩具。
【発明の詳細な説明】
【技術分野】
【０００１】
本発明は、人力により空中に投擲して飛行形態を楽しむ飛行玩具に関する。
【背景技術】
【０００２】
従来、人力により空中に投擲して飛行形態を楽しむ飛行機型の玩具としては折紙を二等辺三角形状に折り曲げたものをはじめとして、胴体中途に左右翼を取付け、胴体頭部に重錘を取付けて左右翼の長さや仰角を変更することにより飛行距離や飛行速度を自在に変更して遊ぶものが一般的にあって、しかも、高度な技術を付加した玩具（例えば、特許文献１参照）にあっては、左右翼の反り角を変更自在としたり、胴体の尾部に飛行方向の舵取り等を行う尾翼を付加したものがあった。
【先行技術文献】
【特許文献】
【０００３】
【特許文献１】特開２００６−３４３２８号公報
【発明の概要】
【発明が解決しようとする課題】
【０００４】
しかし、これらはいずれも人力で空中に投擲して空気抵抗と気流とにより飛行玩具を飛ばして遊戯するものであるが、飛行距離や飛行速度を高めるとすると複雑な機構となり勝ちであり、組立構造も複雑となりコスト的にも高価となる欠点があった。
【０００５】
この発明は、低学年の子供が手作りでも製作でき、胴体中途の曲りを変更することにより飛行形態を種々の自在な形態に変化させて誰でも胴体を持って飛行玩具の遊戯を楽しめる飛行玩具を提供することにある。
【課題を解決するための手段】
【０００６】
以上のような目的を達成するために、本発明は以下のようなものを提供する。
【０００７】
請求項１に係る発明では、頭部に重錘を有した胴体と、前記胴体の中途部前後上面に平行して取付けた前翼と後翼と、よりなる飛行玩具において、前記後翼裏面に位置する前記胴体を上下方向に折曲自在に構成したことを特徴とする飛行玩具を提供せんとする。
【０００８】
請求項２に係る発明では、前記前翼と前記後翼とは前後翼連結体を介して一体に構成したことを特徴とする請求項１に記載の飛行玩具を提供せんとする。
【０００９】
請求項３に係る発明では、前記前翼を前記胴体の中途部に取付けるに際しては、前記前翼を翼胴連結体を介して前記胴体に一体に構成したことを特徴とする請求項１又は２に記載の飛行玩具を提供せんとする。
【００１０】
請求項４に係る発明では、前記胴体は中空パイプの樹脂製で可撓性を有するストローで構成すると共に中途部を折曲自在な蛇腹構造としたことを特徴とする請求項１乃至３のいずれか１項に記載の飛行玩具を提供せんとする。
【００１１】
請求項５に係る発明では、飛行玩具の全体重心は、前記前後翼を合わせた幅員である全弦長の２５〜３０％の長さを前記前翼前端縁より測定した中央点としたことを特徴とする請求項１乃至４のいずれか１項に記載の飛行玩具を提供せんとする。
【００１２】
請求項６に係る発明では、前記中空パイプの前記胴体中には別途用意したガイドロッドを抜き差し自在に挿貫すると共に、飛行玩具の投擲時にはガイドロッド基部を把持して投擲することにより前記ガイドロッドにランチャー機能を付加したことを特徴とする請求項４に記載の飛行玩具を提供せんとする。
【発明の効果】
【００１３】
請求項１記載の発明によれば、後翼裏面に位置する胴体を上下方向に折曲自在に構成したことで、胴体を上方向に折曲すれば頭部が上がり、重心が若干だけ後部の上方へ移動するため飛行速度を落とすことができ、屋内であっても安全に飛行形態を楽しむことができると共に、屋外では風の動きに伴いふらふらと漂うような飛行形態を楽しむことができる。
【００１４】
また、胴体を下方向へ折曲すると頭部が下がり、重心が若干だけ前部へ移動するため飛行速度が上がり直進性が向上する。特に、速度を増して投擲すれば優れた直進性を発揮し、屋外であっても風の影響を受けずに安全にその飛行形態を楽しむことができる。
【００１５】
請求項２記載の発明によれば、前翼と後翼とは前後翼連結体を介して一体に構成したことで、前翼のみを胴体に接続すれば結果として後翼も胴体に連結した状態と等しくなるため、飛行玩具の組立が容易となる。
【００１６】
また、前後翼の製作時においては、抜き型により前後翼連結体と前後翼とを一体として成型することで生産効率が向上し、コスト的にも有利となる。
【００１７】
請求項３記載の発明によれば、前翼を胴体の中途部に取付けるに際しては、前翼を翼胴連結体を介して胴体に一体に構成したことで、胴体と後翼との間に翼胴連結体の所定厚み分の間隙を有するので、前後翼連結体を折曲して後翼の仰角を容易に調整することができる。
【００１８】
また、後翼の仰角をゼロとした場合には、胴体と後翼との間に翼胴連結体の所定厚み分の間隙を有するので、該厚み分だけ胴体を上方に折曲することができる。
【００１９】
更に、後翼の仰角をプラス方向に形成すれば、胴体と後翼との間に翼胴連結体の所定厚み分以上の間隙を有するので、胴体の更なる上方への折曲が可能となる。
【００２０】
請求項４記載の発明によれば、胴体は中空パイプの樹脂製で可撓性を有するストローで構成すると共に中途部を折曲自在な蛇腹構造としたことで、安価に胴体を構成できるので、飛行玩具のコストを低廉に抑えることができる。
【００２１】
また、蛇腹構造は胴体の上下方向ばかりか全方向への折曲を容易に可能とするため、胴体の折曲状態に応じた飛行玩具の飛行形態を楽しむことができる。
【００２２】
請求項５記載の発明によれば、飛行玩具の全体重心は、前後翼を合わせた幅員である全弦長の２５〜３０％の長さを前翼前端縁より測定した中央点としたことで、安定飛行を可能にすると共に、頭部の重錘を軽くすることができるため、安全に遊戯を楽しむことができる。
【００２３】
請求項６記載の発明によれば、中空パイプの胴体中には別途用意したガイドロッドを抜き差し自在に挿貫すると共に、飛行玩具の投擲時にはガイドロッド基部を把持して投擲することによりガイドロッドにランチャー機能を付加したことで、ボールを投げるようにしてガイドロッドを把持した手を上方から下方へ振り下ろす途中で人差し指ｙを任意の位置で胴体から離すだけで投擲され安定した飛行形態を楽しむことができる。
【００２４】
また、ガイドロッドによるランチャー機能は、手首のスナップのみで容易に投擲できるため、低学年の子供であっても失敗することなく簡単に楽しむことができると共に、身体に障害のある人でも、例えば、車椅子からでも容易に投擲でき、しかも、本飛行玩具は上述した様々な構成により、風に向かって飛行する性質を備えているので、通常の紙飛行機のように遠くに流されることなく適当な範囲で楽しみながらリハビリを行うことができる。
【図面の簡単な説明】
【００２５】
【図１】本発明の実施形態に係る飛行玩具の後側上方斜視図である。
【図２】本発明の実施形態に係る飛行玩具の前側下方斜視図である。
【図３】本発明の実施形態に係る飛行玩具の側面図である。
【図４】図３の飛行玩具を胴体の中心で切断した断面図である。
【図５】図３の飛行玩具のＩ−Ｉ線断面図である。
【図６】（ａ）（ｂ）は前後翼の連結状態を示した部分平面図である。
【図７】前後翼の断面図である。
【図８】（ａ）（ｂ）は前後翼のアスペクト比と前後翼の間隔と飛行玩具の重心位置を説明する平面図である。
【図９】ガイドロッドを用いた際の投擲時の把持例を示した説明図である。
【図１０】胴体を左右に折曲した状態を示す説明図である。
【図１１】（ａ）はウイングレットの形状を示す斜視図で、（ｂ）は断面図である。
【発明を実施するための形態】
【００２６】
本発明に係る飛行玩具の要旨は、頭部に重錘を有した胴体と、胴体の中途部前後上面に平行して取付けた前翼と後翼と、よりなる飛行玩具において、後翼裏面に位置する胴体を上下方向に折曲自在に構成したことを特徴とする。すなわち、低学年の子供が手作りでも製作でき、胴体中途の曲りを変更することにより飛行形態を種々の自在な形態に変化させて誰でも胴体を持って飛行玩具の遊戯を楽しめる飛行玩具の提供を図ろうとするものである。
【００２７】
以下、本発明に係る飛行玩具の実施形態について図面を参照しながら説明する。また、本説明中において左右同一又は左右対称の構造や部品については、原則として同一の符号を付し、左右何れか一方のみを説明して、他方については説明を適宜省略する。
【００２８】
[実施形態]
図１は本発明の実施形態に係る飛行玩具の後側上方斜視図であり、図２は前側下方斜視図であり、図３は飛行玩具１の側面図であり、図４は図３の飛行玩具を胴体の中心で切断した断面図を示している。
【００２９】
本発明に係る飛行玩具１は、図１〜図３に示すように、頭部２に重錘３を有した胴体４と、胴体４の中途部前後上面に平行して取付けた前翼７と後翼８と、よりなり、後翼８裏面に位置する胴体４を上下方向に折曲自在に構成している。
【００３０】
このように構成することで、図４に示すように胴体４を上下方向に折曲すれば、胴体４が直線状である場合に比して飛行速度を変化させることができ、屋外はもちろん屋内での遊戯においても安全に楽しむことができる。
【００３１】
以下、本発明の実施形態に係る飛行玩具１の具体的な構造について詳述する。
【００３２】
飛行玩具１の胴体４は、図４に示すように中空パイプの樹脂製で可撓性を有するストローで構成すると共に中途部を折曲自在な蛇腹構造５として形成している。また、蛇腹構造５は胴体４の頭部２側に位置するように配置している。
【００３３】
なお、胴体４はストローに限定されるものではなく、例えば、アルミ材等の金属や木材等、本発明の要旨の範囲内において種々の材料を用いることができる。
【００３４】
また、胴体４を折曲自在とする方法は蛇腹構造５であることに限定されず、例えば、折曲させる箇所に針金等の折曲自在な材料を用いたり、所定角度で固定可能なヒンジ構造を用いたり、本発明の要旨の範囲内において種々の構造を用いることができる。
【００３５】
以上のように、胴体４の中途部を折曲自在とすることで、胴体４を上方向に折曲すれば頭部２が上がり、重心が若干だけ後部の上方へ移動するため飛行速度を落とすことができ、屋内であっても安全に飛行形態を楽しむことができると共に、屋外では風の動きに伴いふらふらと漂うような飛行形態を楽しむことができる。
【００３６】
また、胴体４を下方向へ折曲すると頭部が下がり、重心が若干だけ前部へ移動するため飛行速度が上がり直進性が向上する。特に、速度を増して投擲すれば優れた直進性を発揮し、屋外であっても風の影響を受けずに安全にその飛行形態を楽しむことができる。
【００３７】
更に、胴体４をストローで構成すると共に中途部を折曲自在な蛇腹構造５としたことで、安価に胴体４を構成できるので、飛行玩具１のコストを低廉に抑えることができる。
【００３８】
また、蛇腹構造５は胴体４の上下方向ばかりか全方向への折曲を容易に可能とするため、胴体４の折曲状態に応じた飛行玩具１の飛行形態を楽しむことができる。
【００３９】
次に、頭部２は重錘３として弾性部材である消しゴムで形成している。重錘３は先端を曲面状に面取りした円柱形状に形成し、図４に示すように重錘３の後端を胴体４の内部に密着して挿入可能なように胴体４の内径と略同径の挿入部６を形成して胴体４内に嵌入している。このように構成することで、飛行玩具１の先端をなす頭部２が人や家具等に衝突しても安全である。また、重錘３の重さを変更する際にも容易に加工して重さを調節することができる。
【００４０】
前翼７と後翼８は、図６（ａ）に示すように略同長さで略同幅の矩形板状のケント紙で形成し、前翼７と後翼８との連結には前後翼７，８と一体に成形したケント紙による前後翼連結体９ａを介して連結し、胴体４の中途部前後上面に平行して取付けている。なお、図６（ｂ）に示すように、個々の前後翼７，８の上面間において矩形板状の別途のケント紙で形成した別途の前後翼連結体９ｂを接着剤等で架設固定して前後翼７，８を一体としてもよい。
【００４１】
また、前翼７と後翼８との連結部分の強度を向上すべく、一体に成形した前後翼連結体９ａの上面や下面に重ねて別途のケント紙による前後翼連結体９ｂを取り付けてもよく、別途のケント紙による前後翼連結体９ｂによって個々の前後翼７，８の上面間で互いに連結した場合には、上面間だけでなく下面間にも前後翼連結体９ｂを取り付けてもよい。
【００４２】
なお、前翼７と後翼８、及び前後翼連結体９を構成する材料はケント紙に限定されるものではなく、強度を有し加工性に優れていれば、例えば、ＰＥＴ樹脂やポリカーボネート等の適度に可撓性を有した種々の材料を用いることができる。
【００４３】
また、本実施形態に係る飛行玩具１は、前後翼７，８の長さを胴体４の長さと略同長さに形成している。
【００４４】
このように、前翼７と後翼８とは前後翼連結体９を介して一体に構成したことで、前翼７のみを胴体４に接続すれば結果として後翼８も胴体４に連結した状態と等しくなるため、飛行玩具１の組立が容易となる。
【００４５】
また、前後翼７，８の製作時においては、抜き型により前後翼連結体９と前後翼７，８とを一体として成型することで生産効率が向上し、コスト的にも有利となる。
【００４６】
ここで、矩形板状に形成した前翼７は、図３〜図５に示すように、後述する翼胴連結体１０の上面両端縁を起点として上方に折曲して上反角αを形成すると共に、前翼７の前縁先端部に平面視で三角翼状のウイングレット１１，１１を突設している。
【００４７】
なお、ウイングレット１１，１１は、図１１（ａ）の斜視図、及び図１１（ｂ）の断面図に示すように、平面視で台形形状となるように形成してもよい。すなわち、ウイングレット１１，１１の基部を下方へ傾斜させつつ先端部を上方から後方にかけて湾曲させた橇の先端形状のように形成してもよい。
【００４８】
このように前翼７に上反角αを形成することで、飛行玩具１の左右のバランスを安定して維持することが可能となる。しかも、屋外での遊戯の際に横風により飛行玩具１が左右に傾いても、自然と元の安定した状態に移行させることができる。
【００４９】
また、ウイングレット１１は前翼７の両翼端に発生して前進飛行の推進力の抵抗となる渦状の気流を整流する作用を有するため、飛行玩具１が失速せずに前進しようとする推進力をできるだけ保持することができる。
【００５０】
また、ウイングレット１１の形状を橇の先端形状のように形成すれば、着地の際にウイングレット１１の先端が地面等と接触して変形することを防止できるので、飛行玩具１の耐久性を向上させることができる。
【００５１】
また、後翼８は図１に示すように、両端部を湾曲形状として全体を楕円状に形成すると共に、図５に示すように水平状態１２または後述する翼胴連結体１０の幅員程度を残して下方に折曲して下反角βを形成している。更に、後翼８は図４に示すように、後部上方に向けて仰角γを形成している。
【００５２】
このように後翼８に下反角βを形成することで、屋外での遊戯の際に横風を受けても飛行高度が急激に落ちることがなく、また、地面付近での飛行形態を楽しむことができる。
【００５３】
また、前後翼７，８は、図２、図４に示すように翼胴連結体１０を介して頭部２と蛇腹構造５との間で胴体４と一体に連結される。翼胴連結体１０は木製で矩形偏平状の割箸を前翼７の幅員と略同長さに切削すると共に、偏平面を上下として配設し、下底面には長手方向に沿って胴体４の曲率に合致した湾曲状の凹溝１３を形成し、上面はそのままの偏平面としている。
【００５４】
このように形成した翼胴連結体１０の上面には、接着剤を介して前翼７裏面の中央部の短手方向を前後として連結し、凹溝１３を形成した翼胴連結体１０の下底面には、両面テープを介して胴体４を連結する。なお、胴体４に樹脂材料であるポリプロピレン等からなるストローを用いる場合、ストローにプライマーを塗布することで両面テープによる接着力を向上させることができる。
【００５５】
なお、翼胴連結体１０は木製の割箸に限定されるものではなく、例えば、ポリエチレンやポリプロピレン、ウレタン等の樹脂材料やその他材料であっても、翼胴連結体１０として機能すれば本発明の要旨の範囲内において種々の材料を用いることができる。
【００５６】
また、翼胴連結体１０の凹溝１３の形状は湾曲形状に限定されるものではなく、胴体４との接続が可能であれば胴体４の形状に伴い任意に変更可能である。
【００５７】
また、翼胴連結体１０の後縁端はできるだけ蛇腹構造５の直前に配設することが望ましい。
【００５８】
このように、前翼７を胴体４の中途部に取付けるに際しては、図４に示すように前翼７を翼胴連結体１０を介して胴体４に一体に構成したことで、胴体４と後翼８との間に翼胴連結体１０の所定厚み分の間隙を有するので、前後翼連結体９を折曲して後翼８の仰角γを容易に調整することができる。
【００５９】
また、後翼８の仰角γをゼロとした場合には、胴体４と後翼８との間に翼胴連結体１０の所定厚み分の間隙を有するので、該厚み分だけ胴体４を上方に折曲することができる。
【００６０】
更に、後翼８の仰角γをプラス方向（後部上方に向けて傾斜）に形成すれば、胴体４と後翼８との間に翼胴連結体１０の所定厚み分以上の間隙を有するので、胴体４の更なる上方への折曲が可能となる。
【００６１】
このようにして、本実施形態に係る飛行玩具１は構成されている。
【００６２】
次に、飛行玩具１の各部の構成について更に詳述する。
【００６３】
図７は前後翼７，８の短手方向の断面図を示している。また、図中において左側は頭部２方向である。このように前後翼７，８には長手方向（紙面の前後方向）に渡って上方に凸部１４、下方に凹部１５を形成した突出部１６を２箇所形成してコルゲート形状としている。
【００６４】
なお、本実施形態に係る飛行玩具１においては、突出部１６は前後翼７，８の一部を屈曲して形成している。また、前後翼７，８に形成する突出部１６の数は任意である。
【００６５】
このように前後翼７，８をコルゲート形状とすることで、飛行玩具１のような低レイノルズ数における特性として揚抗比を大きくすることができるので、特に屋内で安全に低速飛行させることが可能になると共に、前後翼７，８の強度を向上させることができるので、飛行玩具１の耐久性を高めることができる。
【００６６】
図８（ａ）、（ｂ）は前後翼７，８のアスペクト比と前後翼７，８の間隔と飛行玩具１の重心位置を説明する平面図である。図８（ａ）に示すように、前後翼７，８は前後翼７，８のアスペクト比を３以上となるように形成している。すなわち、前後翼７，８の幅員Ａと前後翼７，８の半分の長さＢの比が３以上となるように形成している。
【００６７】
なお、安定飛行のためには、アスペクト比が３以上であると共に４以下であることが望ましい。
【００６８】
このように形成することで、低速飛行のための充分な揚抗比を得ることができ、上述したコルゲート形状の前後翼７，８の効果と相まって、特に室内での遊戯を安全に楽しむことができる。
【００６９】
また、図８（ａ）に示すように、前後翼７，８は隙間なく前後に隣接して配設してもよく、図８（ｂ）に示すように、前後翼７，８を１弦長（翼の幅員）以内の範囲に配設してもよい。
【００７０】
このように前後翼７，８を１弦長以内に配設することで胴体４の後部を把持しやすくなるので、玩具としての飛行玩具１の取り扱いが容易となる。
【００７１】
また、飛行玩具１の全体重心の鉛直方向の位置は、図８（ａ）、（ｂ）に示すように、前翼７の前端縁から後翼８の後端縁までの長さ（全弦長）Ｃを１００％とした際に、前翼７の前端縁から全弦長Ｃの２５〜３０％の長さＤを前翼７の前端縁より測定した中央点Ｘとしている。
【００７２】
このように重心位置を設定することで、安定飛行を可能にすると共に、頭部２の重錘３を軽くすることができるため、安全に遊戯を楽しむことができる。
【００７３】
以上のように構成した本実施形態に係る飛行玩具１は、胴体４の如何なる部位を把持して投擲しても容易に飛行形態を楽しむことができる。
【００７４】
更に、飛行玩具１は上述した様々な構成を備えることでトンボの飛行形態に近づけることができ、風の強い屋外であっても風に煽られることなく常に風に向かおうとする特性を有し、上昇気流が発生した環境では空中静止の飛行形態となるので、風の強さに左右されず屋外での遊戯を充分に楽しむことができる。
【００７５】
ここで、本実施形態に係る飛行玩具は、図９に示すように、中空パイプの胴体４中に別途用意したガイドロッド３０を抜き差し自在に挿貫すると共に、飛行玩具１の投擲時にはガイドロッド基部３１を把持して投擲することによりガイドロッド３０にランチャー機能を付加することもできる。
【００７６】
ガイドロッド３０は、中空パイプの胴体４の内径よりも若干だけ小さい外径を有する棒状に形成することで胴体４中に抜き差し自在に挿貫可能となる。また、ガイドロッド３０の長さは、ガイドロッド基部３１を把持した際に、残部が少なくとも胴体４の蛇腹構造５の手前近傍まで挿貫できる長さとしている。
【００７７】
このように形成したガイドロッド３０を用いて飛行玩具１を投擲するに際しては、図９に示すようにガイドロッド基部３１を把持してガイドロッド３０を胴体４の後端部から挿入すると共に、飛行玩具１とガイドロッド３０とが略一体となるように人差し指ｙとガイドロッド３０との間で胴体４の後端部側周面を挟持固定する。
【００７８】
このように挟持固定した飛行玩具１は、ボールを投げるようにしてガイドロッド３０を把持した手を上方から下方へ振り下ろす途中で人差し指ｙを任意の位置で胴体４から離すだけで投擲され安定した飛行形態を楽しむことができる。
【００７９】
また、ガイドロッド３０によるランチャー機能は、手首のスナップのみで容易に投擲できるため、低学年の子供であっても失敗することなく簡単に飛行形態を楽しむことができると共に、身体に障害のある人でも、例えば、車椅子からでも容易に投擲でき、しかも、本飛行玩具１は上述した様々な構成により、風に向かって飛行する性質を備えているので、通常の紙飛行機のように遠くに流されることなく適当な範囲で楽しみながらリハビリを行うことができる。
【００８０】
なお、図９における前後翼７，８の位置としては、通常の投擲ならば胴体４よりも上方に位置させればよく、反対に胴体４を上方として斜め上方へ投擲すれば上空での宙返り飛行を楽しむことができる。
【００８１】
また、本実施形態に係る飛行玩具１はストローの蛇腹構造５により、図１０に示すように胴体４を左右方向にも折曲することができるばかりか全方向に折曲自在である。
【００８２】
そして、胴体４を右側に折曲して空中に投擲すれば飛行玩具１は右側に旋回し、左側に折曲すれば左側に旋回して飛行するため、胴体４の折曲状態によって種々の飛行形態を楽しむことができる。
【００８３】
以上の説明のように構成した本飛行玩具１は、低学年の子供が手作りでも製作でき、胴体４中途の曲りを変更することにより飛行形態を種々の自在な形態に変化させて誰でも胴体４を持って飛行玩具１の遊戯を楽しむことができる。
【００８４】
以上、本発明の好ましい実施形態を説明したが、本発明は係る特定の実施形態に限定されるものではなく、特許請求の範囲に記載された本発明の要旨の範囲内において、種々の変形・変更が可能である。
【符号の説明】
【００８５】
Ｃ  全弦長
Ｄ  ２５〜３０％の長さ
Ｘ  中央点
１  飛行玩具
２  頭部
３  重錘
４  胴体
５  蛇腹構造
７  前翼
８  後翼
９  前後翼連結体
１０  翼胴連結体
３０  ガイドロッド
３１  ガイドロッド基部
【図１】
2016036359.tif 000003
【図２】
2016036359.tif 000004
【図３】
2016036359.tif 000005
【図４】
2016036359.tif 000006
【図５】
2016036359.tif 000007
【図６】
2016036359.tif 000008
【図７】
2016036359.tif 000009
【図８】
2016036359.tif 000010
【図９】
2016036359.tif 000011
【図１０】
2016036359.tif 000012
【図１１】
2016036359.tif 000013